(57)【要約】【課題】  本発明は、用水路や導水管などの水路に、容易に配設することができる、水力発電装置を提供することを目的としている。【解決手段】  水平のロータ支持筐体４を、保持体５をもって、支持環体２内に一体に固定するとともに、支持環体２から突出する保持体５上部に発電機１１を配設し、支持環体２には、水路にロータ支持筐体４を固定させる取付部２Ａ、２Ｂが形成されている。【選択図】  図１
2017150376.tif 000002
【特許請求の範囲】
【請求項１】
ロータを備えた水平のロータ支持筐体を、上面に立設した保持体をもって、支持環体内に一体に固定するとともに、支持環体から突出する保持体上部に発電機を配設し、支持環体には、水路にロータ支持筐体を固定させる取付部が形成されていることを特徴とする水力発電装置。
【請求項２】
前記保持体は筒体とし、ロータ軸の回転力を発電機に伝動する伝動軸を備え、上面に補助保持体を連結する連結部が形成されていることを特徴とする請求項１に記載の水力発電装置。
【請求項３】
前記支持環体の取付部は、定間隔にボルト孔が開孔されている外向きフランジであることを特徴とする請求項１または２に記載の水力発電装置。
【請求項４】
前記水路は、水源から導水する導水管とし、前後に外向きフランジを有する前後の導水管の間に、支持環体を配して取付部を導水管のフランジに連結することを特徴とする請求項１〜３のいずれかに記載の水力発電装置。
【請求項５】
前記水路は用水路であり、両岸に架設した梁桁に、支持環体の取付部に取着けた吊設材を固定することを特徴とする請求項１〜３のいずれかに記載の水力発電装置。
【請求項６】
前記ロータのロータ軸は、支持環体の中心よりも下方向へ寄った位置に配設されることを特徴とする請求項１〜５のいずれかに記載の水力発電装置。
【請求項７】
前記保持体の横断平面は、前縁が太く後方へかけて細くされた略魚形とされていることを特徴とする請求項１〜６のいずれかに記載の水力発電装置。
【発明の詳細な説明】
【技術分野】
【０００１】
本発明は、発電機用のロータ支持筐体を、用水路や導水管に容易に配設することのできる水力発電装置に関する。
【背景技術】
【０００２】
導水管の中に、長いロータ軸を配設し、ロータ軸に複数のロータを備える発電機は、例えば特許文献１に開示されている。
【先行技術文献】
【特許文献】
【０００３】
【特許文献１】特開２０００−９０１２号公報
【発明の概要】
【発明が解決しようとする課題】
【０００４】
前記、特許文献１に記載の発明は、長い導水管の内部に、取付金具を介して、前後に複数の発電機を配設しているものである。
この態様では、長い導水管の内部に、発電機を配設することは困難である。
また、多数の発電機が密着するように、導水管内に固定されていると、発電機が水流の抵抗となって、導水管内を流れる水流の流速が低下し、ロータの回転速度が上がらず、発電効率も上がりにくい。
本発明は、発電機用のロータ筐体を横から囲むように、取付環体を設け、取付環体を用水路に吊設するか、長い導水管の中間に連結することができ、容易に水力発電をすることのできる発電装置を提供するものである。
【課題を解決するための手段】
【０００５】
本発明の具体的な内容は、次の通りである。
【０００６】
（１）ロータを備えた水平のロータ支持筐体を、上面に立設した保持体をもって、支持環体内に一体に固定するとともに、支持環体から上方へ突出する保持体の上部に発電機を配設し、支持環体には、水路にロータ支持筐体を固定させる取付部が形成されている水力発電装置。
【０００７】
（２）前記保持体は筒体とし、ロータ軸の回転力を発電機に伝動する伝動軸を備え、上面に補助保持体を連結する連結部が形成されている前記（1）に記載の水力発電装置。
【０００８】
（３）前記支持環体の取付部は、定間隔にボルト孔が開孔されている外向きフランジである前記（1）または（2）に記載の水力発電装置。
【０００９】
（４）前記水路は、水源から導水する導水管とし、前後に外向きフランジを有する前後の導水管の間に、支持環体を配して取付部を導水管のフランジに連結する前記（1）〜（3）のいずれかに記載の水力発電装置。
【００１０】
（５）前記水路は用水路とし、水面上に架設した梁桁に、支持環体の取付部に取付けた吊設材を固定する前記（1）〜（3）のいずれかに記載の水力発電装置。
【００１１】
（６）前記ロータのロータ軸は、支持環体内の中心よりも下方向へ寄った位置に配設される前記（1）〜（5）のいずれかに記載の水力発電装置。
【００１２】
（７）前記保持体の横断平面は、前縁が太く後方へかけて細くされた略魚形とされている前記（1）〜（6）のいずれかに記載の水力発電装置。
【発明の効果】
【００１３】
本発明によると、次のような効果が奏せられる。
【００１４】
前記（1）に記載の発明の水力発電装置は、ロータ支持筐体を保持体をもって支持環体の内部に一体に固定して、支持環体から突出する保持体に発電機を配設してあるので、これで１個の発電装置となっている。
支持環体には、用水路や導水管等の水路に、この発電装置を簡単に取付けるための取付部が形成されている。この支持環体の取付部は、同径の導水管に連結することができるとともに、管径の異なる導水管を連結するための、前後の径の異なる中継管を介して、管径の異なる導水管と連結することができる。
例えば、前後の導水管の間に、ロータ支持筐体を水平として、支持環体の取付部を前後の道水管に連結すると、道水管の中を通過する流水によって、ロータ支持筐体のロータを回転させて発電することができる。
あるいは、取付部に吊設材を固定して、用水路に架設する梁桁に吊設することによって、用水路に発電機を容易に配設することができる。  
【００１５】
前記（2）に記載の発明においては、保持体は筒体としてあるので、内部に、ロータの回転力を発電機に伝動する伝動軸を配設することができる。その上面に、補助の保持体を連結することができるので、用水路の水面が低くても、ロータ支持筐体を、用水路に架設した梁桁から、水中に容易に吊設することができる。
【００１６】
前記（3）に記載の発明は、支持環体の取付部は、支持環体の前後に形成した外向きフランジであり、定間隔にボルト孔が開設されているので、このフランジに吊設材の下部の固定具をボルト留めして、その上部を用水路に架設した梁桁に吊設することによって、用水路に発電装置を容易に配設することができる。
また、前後の導水管の間に支持環体を配し、支持環体の取付部を導水管のフランジとボルトで連結させることができる。
【００１７】
前記（4）に記載の発明は、水路として長い導水管が利用され、前後にフランジを有する前後の導水管の間に支持環体を配し、取付部であるフランジをボルト結合させると、水源から導水する導水管内を流動する流水によって、ロータは回転し発電させることができる。
【００１８】
前記（5）に記載の発明は、水路として用水路が利用され、水面上に架設された梁桁に、支持環体の取付部に取付けた吊設材の上部を固定することによって、容易に用水路に水力発電装置を設置することができる。
【００１９】
前記（6）に記載の発明においては、ロータ軸が支持環体の中心よりも下方向へ寄った位置に配設されているので、保持体の前面に水流が当たって流速を低下させることに対して、支持環体内におけるロータ支持筐体より上の流水容積を、下の流水容積と同じにすることによって、ロータに対する水流量を均等にすることができる。また水路における水量が減少した時に低位の水流を活用することができる。
【００２０】
前記（7）に記載の発明は、保持体の横断平面が、前縁が太く後方へかけて細くされた略魚形とされているので、これに当る水流は、コアンダ効果により高速で通過するので、水流の低速化を抑止する。
【図面の簡単な説明】
【００２１】
【図１】本発明の一実施形態の側面図である。
【図２】図１における水力発電装置の使用例１の正面図である。
【図３】図１における保持体のIII−III線断面図である。
【図４】図１における支柱のIV−IV線断面図である。
【図５】図１におけるブレードの最大弦長部の横断平面図である。
【図６】本発明の水力発電装置の使用例２の側面図である。
【図７】本発明の水力発電装置の使用例３の側面図である。
【図８】本発明の水力発電装置の使用例４の側面図である。
【発明を実施するための形態】
【００２２】
以下本発明の一実施形態を、図面を参照して説明する。
【実施例１】
【００２３】
図１及び図２において、本発明の水力発電装置１は、例えば水源から水を引く導水管21と同じ直径で、長さの短い支持環体２の内部に、ロータ３を備えた水平のロータ支持筐体４が、垂直の保持体５によって一体に固定されている。
【００２４】
またロータ支持筐体４の下面には、支持環体２の下部内壁面の間に、前後に長い支持板12が固定されている。保持体５は、図３に横断面を示すように、平面視略魚形の中空体で、内部に伝動軸８が上下の軸受５Ｂ、５Ｃで回転可能に支持されている。
前記支持板４Ａは、図４に示すように平面視で魚形とされている。保持体５も支持板４Ａも、これに当たる水流は、コアンダ効果により高速で通過する。
【００２５】
支持環体２の前後の周面に、取付部である外向フランジ２Ａ、２Ｂが突設されて、外向フランジ２Ａ、２Ｂに、導水管12と連結可能に、ボルト孔２Ｃが定間隔に前後に貫通形成されている。
【００２６】
保持体５の上部には、外向フランジ５Ａ、６Ａを介して、補助保持体６が連結され、その上面に発電機11が設置される。
この補助保持体６は、用水路Ｒの水面が低い時などに使用されるもので、不要なら補助保持体６は使用されない。
【００２７】
ロータ支持筐体４の内部には、水平のロータ軸７が配設され、その前端にロータ３が装着されている。ロータ３のハブ３Ａの周面に、複数の揚力型ブレード３Ｂ（以下単にブレードという）が放射方向へ向けて装着されている。ブレード３Ｂの先端は前方へ向けて傾斜された傾斜部３Ｃとされている。
【００２８】
ロータ軸７の後端部と保持体５内の伝動軸８の下端部は、傘歯車７Ａ、８Ａからなる伝動手段によって連係されている。伝動軸８の上端は、補助保持体５において、連結具10を介して補助伝動軸９と連結され、その上端部は発電機11の主軸と連結されている。保持体５の下面に、前後方向に長い板状の支持板12が固定されている。
【００２９】
ブレード３Ｂの先端部は、前方向へ35度〜45度ほど傾斜する傾斜部３Ｃとされている。ブレード３Ｂは、翼根部から翼端へ向かって、弦長を次第に広くされ、最大弦長は回転半径の35〜50％とされて、遠心部における受水面積が大とされている。傾斜部３Ｃは、最大弦長部３Ｄを基点として、上流方向へ傾斜されている。
【００３０】
ブレード３Ｂの厚さは、側面視で翼根から翼端へかけて平行で、最大厚さは図５に横断面を示すように、弦長の25〜35％とされている。35％を超えると、抵抗が大となり、かつ正面３Ｅと背面３Ｆに沿う流水の速度差が大となり、反作用による回転効率が低下する。また25％以下では、背面３Ｆに沿って通過する水流の速度と、それによる反作用も小さく、回転効率も高まりにくい。
【００３１】
ブレード３Ｂが回転すると、背面３Ｆの大きな膨らみにより、これに沿って流れる水流は、正面３Ｅに沿って通過する水流よりも高速となって流れ、反作用としてブレード３Ｂの回転速度が高まる。
【００３２】
図２は、水力発電装置１を、農業用水路Ｒに使用した状態を示す正面図である。用水路Ｒの水面上に架設した梁桁13に、保助保持体６の上端のフランジ６Ｂを吊掛けて固定してある。
【００３３】
また支持環体２の前後の取付部２Ａ、２Ｂに、吊設材14の下部の固定具14Ａをボルト14Ｂ止めにより固定し、吊設材14の上部の固定具14Ｃは、梁桁13に固定してある。
【００３４】
これによって、支持環体２は、前後の取付部２Ａ、２Ｂに固定された吊設材14によって、梁桁13に固定されるので、ロータ３に水圧がかかっても動くことなく強固に固定される。
【００３５】
図６は、支持環体２の前面に、集水管15を取付部２Ａ、15Ａ同士の連結により固定した使用例を示す。この集水管15を後向きにして、後部の取付部２Ａにも取付けることができる。それにより、ロータ支持筐体４の付近を隘路とすることができる。
【００３６】
図７は、水力発電装置１を、落差のある場所に使用する態様を示す側面図である。前例と同じ部材には、同じ符号を付して説明を省略する。これは、小滝や崖における水の落差を利用するものである。
【００３７】
崖地1６の低地16Ａに支持枠体1７を設けて、ロータ３を上向きとし水力発電装置１を固定する。その支持環体２の上方に、導水管18をそれぞれ外向フランジ２Ａ、18Ａを介して連結する。
【００３８】
導水管18の上部は、固定材19で崖地16に固定する。その導水管18の上部の管口を、導水路20に臨設させる。導水路20は、別の水源から導水管18で引くものでもよいし、小川を利用するものでもよい。
【００３９】
これによって、流量が小さくても、落差のある流水を、導水管18で水力発電装置１へ導水することができ、導水管18の管径が小さくても、落差により発電効率を高いものとすることができる。
【００４０】
図８は、水源から目的地まで長い距離に導水する導水管21、22に使用した状態を示す側面図である。前例と同じ部材には同じ符号を付して説明を省略する。
導水管21は、例えば、1本の長さが10ｍで、数kmも連結されている。管の直径は、例えば70ｃｍである。
【００４１】
導水管21は、場所さえ適合すれば、何ｋｍでも長く配設できるので、本発明の水力発電装置１を、長い導水管21の、例えば10ｍ毎に配設するとして、導水管21が１ｋｍ連なっているとするなら、100基配設することができる。
【００４２】
例えば500ｗの小型発電機11であっても、100基設置することが出来れば、50ｋｗの安定した発電が可能な発電設備となる。
この場合、導水管21は自然の地形に合わせて曲がり、高低差があっても、水源からは下り勾配であるので、流速に変化がなくても、上流よりも下流では水の重力がかかるため、各発電機による発電効率は下流の方が高くなる。
【００４３】
前後に配置された水力発電装置１の、ロータ３の間隔が10ｍ離れると、前方に位置するロータ３の回転による乱流が、後方に位置するロータ３に影響しなくなる。勾配が強いという地理的条件があれば、水の重力を利用することができるので、前後のロータ３、３間の距離を短縮することができる。
【００４４】
導水管21と支持環体２との連結は、図８に示すように、それぞれの取付部２Ａ、21Ａをボルトにより連結する。支持環体２の直径よりも、導水管22の直径が大きい場合には、図８の右側に示すように、前後の直径の異なった中継環23を使用することによって、管径が異なっていても連結させることができる。
【００４５】
前記ロータ支持筐体４は、内部のロータ軸７の位置を、図１における支持環体２の中心よりも少し下方向へ位置して配設することが好ましい。
すなわち図１に示すように、ロータ支持筐体４は、保持体５によって支持されているので、水流は保持体５の前面の面積によって抵抗を受けるためである。
【００４６】
ロータ軸７が支持環体の中心よりも下方向へ寄った位置に配設されているので、保持体の前面に水流が当たって流速を低下させることに対して、支持環体内におけるロータ支持筐体より上の流水容積を、下の流水容積と同じにすることによって、ロータに対する水流量を均等にすることができる。また水路における水量が減少した時に低位の水流を活用することができる。
【００４７】
ロータ軸７を、支持環体２の中心よりも下方向へ下げることによって、ロータ支持筐体４の上面と、支持環体２の内側上壁面との間の、水流の容積を大とすることができ、保持体５に当る水の抵抗を緩和させて、流通を良くすることができる。
【００４８】
なお、支持環体２の取付部２Ａ、２Ｂとして、外向フランジが示されているが、例えば、印籠継手（faucet joint）、その他公知の連結方法を使用することができる。図１において、保持体５は垂直とされているが、勾配の強い場所においては、保持体５を水平態にして連結することができる。
【産業上の利用可能性】
【００４９】
本発明は、水源から水を引く、既設ないし未設の導水管に連結して、発電用のロータを、容易に配設することのできる水力発電装置であり、また用水路に容易に配設し、水路の水を効率良く利用して発電施設とすることができる。
【符号の説明】
【００５０】
１．水力発電装置
２．支持環体
２Ａ、２Ｂ．取付部（外向フランジ）
２Ｃ．ネジ孔
３．ロータ
３Ａ．ハブ
３Ｂ．揚力型ブレード
３Ｃ．傾斜部
３Ｄ．最大弦長部
３Ｅ．正面
３Ｆ．背面
４．ロータ支持筐体
５．保持体
５Ａ．外向フランジ
６．補助保持体
６Ａ．外向フランジ
７．ロータ軸
７Ａ．傘歯車
８．伝動軸                  
８Ａ．傘歯車
９．補助伝動軸
10．掛吊体
11．発電機
12．支持板
13．梁桁
14．吊設材
14Ａ．固定具
14Ｂ．ボルト
14Ｃ．固定具
15．集水管
15Ａ．取付部
16．崖地
17．支持枠
18．導水管
18Ａ．取付部
19．固定材
20．水路
21、22．導水管
21Ａ、22Ａ．取付部
23．中継環
23Ａ、23Ｂ．取付部
Ｒ．水路
Ｗ．水面
【図１】
2017150376.tif 000003
【図２】
2017150376.tif 000004
【図３】
2017150376.tif 000005
【図４】
2017150376.tif 000006
【図５】
2017150376.tif 000007
【図６】
2017150376.tif 000008
【図７】
2017150376.tif 000009
【図８】
2017150376.tif 000010